(57)【要約】【課題】全体として安価で且つ環境保全にも資する胡蝶蘭の集合体を提供すること。【解決手段】この考案の胡蝶蘭１０の集合体は、１本の胡蝶蘭１０を保持している１本立ち容器４０と、  前記１本立ち容器４０を、少なくとも３個以上集合して収容できる集合容器１００とを有し、  １本立ち容器４０は、集合容器１００の後方領域において少なくとも２個以上横方向に並列されるとともに、集合容器１００の前方領域において、前記後方領域の１本立ち容器４０の間に位置するように、少なくとも１個配設され、  １本立ち容器４０は、集合容器１００の内において配設された各１本立ち容器４０の間に、各１本立ち容器４０が移動することなく保持されるように保持材１１２で固定されるとともに、集合容器１００から取り出して１本立ち容器４０に入った胡蝶蘭１０を移動し及び／又は配設することができる。【選択図】図１
0003210039.tif 000002
【実用新案登録請求の範囲】
【請求項１】
１本の胡蝶蘭を保持している１本立ち容器と、
前記１本立ち容器を、少なくとも３個以上集合して収容できる集合容器とを有し、
１本立ち容器は、集合容器の後方領域において少なくとも２個以上横方向に並列されるとともに、集合容器の前方領域において、前記後方領域の１本立ち容器の間に位置するように、少なくとも１個以上配設され、
後方領域に配設された１本立ち容器の胡蝶蘭は、前方領域に配設された１本立ち容器の胡蝶蘭より上方に花が位置して前方より鑑賞できるように構成され、
１本立ち容器は、集合容器の内において配設された各１本立ち容器の間に、各１本立ち容器が移動することなく保持されるように緩衝材及び／又は保持材で固定されるとともに、集合容器から取り出して１本立ち容器に入った胡蝶蘭を移動し及び／又は配設することができることを特徴とする、胡蝶蘭の集合体。
【請求項２】
１本の胡蝶蘭を保持している１本立ち容器と、
前記１本立ち容器を、少なくとも５個以上集合して収容できる集合容器とを有し、
１本立ち容器は、集合容器の後方領域において少なくとも３個以上横方向に並列されるとともに、集合容器の前方領域において、前記後方領域の１本立ち容器の間に位置するように、少なくとも２個以上横方向に並列され、
後方領域に配設された１本立ち容器の胡蝶蘭は、前方領域に配設された１本立ち容器の胡蝶蘭より上方に花が位置して前方より鑑賞できるように構成され、
１本立ち容器は、集合容器の内において配設された各１本立ち容器の間に、各１本立ち容器が移動することなく保持されるように緩衝材及び／又は保持材で固定されるとともに、集合容器から取り出して１本立ち容器に入った胡蝶蘭を移動し及び／又は配設することができることを特徴とする、胡蝶蘭の集合体。
【請求項３】
１本の胡蝶蘭を保持している１本立ち容器と、
前記１本立ち容器を、少なくとも３個以上集合して収容できる集合容器とを有し、
１本立ち容器は、集合容器の後方領域において、横方向に偶数個並列されるとともに、集合容器の前方領域において、前記後方領域の１本立ち容器の間に位置するように、少なくとも後方領域の１本立ち容器の数より１個少ない奇数個配設され、
又は、
１本立ち容器は、集合容器の後方領域において、横方向に奇数個並列されるとともに、集合容器の前方領域において、前記後方領域の１本立ち容器の間に位置するように、少なくとも後方領域の１本立ち容器の数より１個少ない偶数個配設され、
後方領域に配設された１本立ち容器の胡蝶蘭は、前方領域に配設された１本立ち容器の胡蝶蘭より上方に花が位置して前方より鑑賞できるように構成され、
１本立ち容器は、集合容器の内において配設された各１本立ち容器の間に、各１本立ち容器が移動することなく保持されるように緩衝材及び／又は保持材で固定されるとともに、集合容器から取り出して１本立ち容器に入った胡蝶蘭を移動し及び／又は配設することができることを特徴とする、胡蝶蘭の集合体。
【請求項４】
１本立ち容器は、円筒状合成樹脂製容器であって、高さが集合容器の収容部の高さと略々同一か僅かに低く、幅が、少なくとも２個の１本立ち容器を収容したときに、集合容器の収容部の幅と略々同一か僅かに短く、
集合容器に配設された段差部に載置された後方領域の１本立ち容器の胡蝶蘭は、前方領域に配設された１本立ち容器の胡蝶蘭より上方に花が位置して前方より鑑賞できるように構成されたことを特徴とする、請求項１に記載の胡蝶蘭の集合体。
【請求項５】
１本立ち容器は、円筒状合成樹脂製容器であって、高さが集合容器の収容部の高さと略々同一か僅かに低く、幅が、少なくとも３個の１本立ち容器を収容したときに、集合容器の収容部の幅と略々同一か僅かに短く、
集合容器に配設された段差部に載置された後方領域の１本立ち容器の胡蝶蘭は、前方領域に配設された１本立ち容器の胡蝶蘭より上方に花が位置して前方より鑑賞できるように構成されたことを特徴とする、請求項２に記載の胡蝶蘭の集合体。
【請求項６】
１本立ち容器は、円筒状合成樹脂製容器であって、高さが集合容器の収容部の高さと略々同一か僅かに低く、幅が、少なくとも後方領域の１本立ち容器を偶数個又は奇数個収容したときに、集合容器の収容部の幅と略々同一か僅かに短く、
集合容器に配設された段差部に載置された後方領域の１本立ち容器の胡蝶蘭は、前方領域に配設された１本立ち容器の胡蝶蘭より上方に花が位置して前方より鑑賞できるように構成されたことを特徴とする、請求項３に記載の胡蝶蘭の集合体。
【請求項７】
保持材は、集合容器の後方領域において３個以上横方向に並列されるとともに、集合容器の前方領域において、前記後方領域の１本立ち容器の間に位置するように、２個以上横方向に並列された１本立ち容器の間に配設され、
保持材は、前方領域の１本立ち容器と後方領域の１本立ち容器との間に介在させる第１保持材と、後方領域の１本立ち容器の間に介在させる第２保持材と、前方領域の２個の１本立ち容器の間に介在させる第３保持材とを備え、
前記第１保持材と前記第２保持材とは交差し、且つ前記第２保持材と前記第３保持材とは平行になる、略々十字状のブロック材であり、一体的に形成され、
前記第１保持材の長さは、集合容器の収容部の右側と左側との間の幅の長さと略々同一であり、
前記第２保持材及び第３保持材の長さと前記第１保持材の厚さとを合わせた長さは、集合容器の収容部の手前側と向こう側との間の長さと略々同一であることを特徴とする、請求項１に記載の胡蝶蘭集合体。
【請求項８】
保持材は、集合容器の後方領域において少なくとも２個以上横方向に並列されるとともに、集合容器の前方領域において、前記後方領域の１本立ち容器の間に位置するように、１個以上配設された１本立ち容器の間に配設され、
保持材は、前方領域の１本立ち容器と後方領域の１本立ち容器との間に介在させる第１保持材と、後方領域の１本立ち容器の間に介在させる第２保持材と、前方領域の１個の１本立ち容器を挟持する左右一対の第４保持材とを備え、
保持材は、第１保持材と第２保持材とは交差し、且つ第２保持材と第４保持材とは平行になる、略々十字状のブロック材で、一体的に形成され、
前記第１保持材の長さは、集合容器の収容部の右側と左側との間の幅の長さと略々同一であり、
前記第２保持材及び第４保持材の長さと前記第１保持材の厚さとを合わせた長さは、集合容器の収容部の手前側と向こう側との間の長さと略々同一であることを特徴とする、請求項２に記載の胡蝶蘭集合体。
【請求項９】
保持材は、集合容器の後方領域において横方向に偶数個並列されるとともに、集合容器の前方領域において、前記後方領域の１本立ち容器の間に位置するように、後方領域の１本立ち容器の数より１個少ない奇数個配設された１本立ち容器の間に配設され、
保持材は、前方領域の１本立ち容器と後方領域の１本立ち容器との間に介在させる第１保持材と、後方領域の１本立ち容器の間に介在させる第２保持材と、前方領域の１個の１本立ち容器を挟持する左右一対の第４保持材とを備え、
保持材は、第１保持材と第２保持材とは交差し、且つ第２保持材と第４保持材とは平行になる、略々十字状のブロック材で、一体的に形成され、
前記第１保持材の長さは、集合容器の収容部の右側と左側との間の幅の長さと略々同一であり、
前記第２保持材及び第４保持材の長さと前記第１保持材の厚さとを合わせた長さは、集合容器の収容部の手前側と向こう側との間の長さと略々同一であることを特徴とする、請求項３に記載の胡蝶蘭集合体。
【請求項１０】
保持材は、集合容器の後方領域において横方向に奇数個並列されるとともに、集合容器の前方領域において、前記後方領域の１本立ち容器の間に位置するように、少なくとも後方領域の１本立ち容器の数より１個少ない偶数個配設された１本立ち容器の間に配設され、
保持材は、前方領域の１本立ち容器と後方領域の１本立ち容器との間に介在させる第１保持材と、後方領域の１本立ち容器の間に介在させる第２保持材と、前方領域の１個の１本立ち容器を挟持する左右一対の第４保持材とを備え、
保持材は、第１保持材と第２保持材とは交差し、且つ第２保持材と第４保持材とは平行になる、略々十字状のブロック材で、一体的に形成され、
前記第１保持材の長さは、集合容器の収容部の右側と左側との間の幅の長さと略々同一であり、
前記第２保持材及び第４保持材の長さと前記第１保持材の厚さとを合わせた長さは、集合容器の収容部の手前側と向こう側との間の長さと略々同一であることを特徴とする、請求項３に記載の胡蝶蘭集合体。
【請求項１１】
１本の胡蝶蘭を保持している１本立ち容器と、
前記１本立ち容器を、少なくとも３個以上集合して収容できる集合容器とを有し、
胡蝶蘭は、１本立ち容器の高さの略々３倍ないし６倍の高さを有し、
１本立ち容器は、円筒状合成樹脂製容器であって、高さが集合容器の収容部の高さと略々同一か僅かに低く、幅が、少なくとも２個の１本立ち容器を収容したときに、集合容器の収容部の幅と略々同一か僅かに短く、
１本立ち容器は、集合容器の後方領域において少なくとも２個以上横方向に並列されるとともに、集合容器の前方領域において、前記後方領域の１本立ち容器の間に位置するように、少なくとも１個以上配設され、
集合容器に配設された段差部に載置された後方領域の１本立ち容器の胡蝶蘭は、前方領域に配設された１本立ち容器の胡蝶蘭より上方に花が位置して前方より鑑賞できるように構成され、
１本立ち容器は、集合容器の内において配設された各１本立ち容器の間に、各１本立ち容器が移動することなく保持されるように緩衝材及び／又は保持材で固定されるとともに、集合容器から取り出して１本立ち容器に入った胡蝶蘭を移動し及び／又は配設することができ、
保持材は、集合容器の後方領域において３個以上横方向に並列されるとともに、集合容器の前方領域において、前記後方領域の１本立ち容器の間に位置するように、２個以上横方向に並列された１本立ち容器の間に配設され、
保持材は、前方領域の１本立ち容器と後方領域の１本立ち容器との間に介在させる第１保持材と、後方領域の１本立ち容器の間に介在させる第２保持材と、前方領域の２個の１本立ち容器の間に介在させる第３保持材とを備え、
前記第１保持材と前記第２保持材とは交差し、且つ前記第２保持材と前記第３保持材とは平行になる、略々十字状のブロック材であり、一体的に形成され、
前記第１保持材の長さは、集合容器の収容部の右側と左側との間の幅の長さと略々同一であり、
前記第２保持材及び第３保持材の長さと前記第１保持材の厚さとを合わせた長さは、集合容器の収容部の手前側と向こう側との間の長さと略々同一であることを特徴とする、請求項１に記載の胡蝶蘭の集合体。
【請求項１２】
１本の胡蝶蘭を保持している１本立ち容器と、
前記１本立ち容器を、少なくとも５個以上集合して収容できる集合容器とを有し、
１本立ち容器は、円筒状合成樹脂製容器であって、高さが集合容器の収容部の高さと略々同一か僅かに低く、幅が、少なくとも３個の１本立ち容器を収容したときに、集合容器の収容部の幅と略々同一か僅かに短く、
１本立ち容器は、集合容器の後方領域において少なくとも３個以上横方向に並列されるとともに、集合容器の前方領域において、前記後方領域の１本立ち容器の間に位置するように、少なくとも２個以上横方向に並列され、
集合容器に配設された段差部に載置された後方領域の１本立ち容器の胡蝶蘭は、前方領域に配設された１本立ち容器の胡蝶蘭より上方に花が位置して前方より鑑賞できるように構成され、
１本立ち容器は、集合容器の内において配設された各１本立ち容器の間に、各１本立ち容器が移動することなく保持されるように緩衝材及び／又は保持材で固定されるとともに、集合容器から取り出して１本立ち容器に入った胡蝶蘭を移動し及び／又は配設することができ、
保持材は、集合容器の後方領域において少なくとも２個以上横方向に並列されるとともに、集合容器の前方領域において、前記後方領域の１本立ち容器の間に位置するように、１個以上配設された１本立ち容器の間に配設され、
保持材は、前方領域の１本立ち容器と後方領域の１本立ち容器との間に介在させる第１保持材と、後方領域の１本立ち容器の間に介在させる第２保持材と、前方領域の１個の１本立ち容器を挟持する左右一対の第４保持材とを備え、
保持材は、第１保持材と第２保持材とは交差し、且つ第２保持材と第４保持材とは平行になる、略々十字状のブロック材で、一体的に形成され、
前記第１保持材の長さは、集合容器の収容部の右側と左側との間の幅の長さと略々同一であり、
前記第２保持材及び第４保持材の長さと前記第１保持材の厚さとを合わせた長さは、集合容器の収容部の手前側と向こう側との間の長さと略々同一であることを特徴とする、請求項２に記載の胡蝶蘭の集合体。
【請求項１３】
１本の胡蝶蘭を保持している１本立ち容器と、
前記１本立ち容器を、少なくとも３個以上集合して収容できる集合容器とを有し、
１本立ち容器は、円筒状合成樹脂製容器であって、高さが集合容器の収容部の高さと略々同一か僅かに低く、幅が、少なくとも後方領域の１本立ち容器を偶数個又は奇数個収容したときに、集合容器の収容部の幅と略々同一か僅かに短く、
１本立ち容器は、集合容器の後方領域において、横方向に偶数個並列されるとともに、集合容器の前方領域において、前記後方領域の１本立ち容器の間に位置するように、少なくとも後方領域の１本立ち容器の数より１個少ない奇数個配設され、
又は、
１本立ち容器は、集合容器の後方領域において、横方向に奇数個並列されるとともに、集合容器の前方領域において、前記後方領域の１本立ち容器の間に位置するように、少なくとも後方領域の１本立ち容器の数より１個少ない偶数個配設され、
集合容器に配設された段差部に載置された後方領域の１本立ち容器の胡蝶蘭は、前方領域に配設された１本立ち容器の胡蝶蘭より上方に花が位置して前方より鑑賞できるように構成され、
１本立ち容器は、集合容器の内において配設された各１本立ち容器の間に、各１本立ち容器が移動することなく保持されるように緩衝材及び／又は保持材で固定されるとともに、集合容器から取り出して１本立ち容器に入った胡蝶蘭を移動し及び／又は配設することができ、
保持材は、集合容器の後方領域において横方向に偶数個並列されるとともに、集合容器の前方領域において、前記後方領域の１本立ち容器の間に位置するように、後方領域の１本立ち容器の数より１個少ない奇数個配設された１本立ち容器の間に配設され、
保持材は、前方領域の１本立ち容器と後方領域の１本立ち容器との間に介在させる第１保持材と、後方領域の１本立ち容器の間に介在させる第２保持材と、前方領域の１個の１本立ち容器を挟持する左右一対の第４保持材とを備え、
保持材は、第１保持材と第２保持材とは交差し、且つ第２保持材と第４保持材とは平行になる、略々十字状のブロック材で、一体的に形成され、
前記第１保持材の長さは、集合容器の収容部の右側と左側との間の幅の長さと略々同一であり、
前記第２保持材及び第４保持材の長さと前記第１保持材の厚さとを合わせた長さは、集合容器の収容部の手前側と向こう側との間の長さと略々同一であることを特徴とする、請求項３に記載の胡蝶蘭の集合体。
【請求項１４】
集合容器は、冠婚葬祭が行われる場内に配置するために、冠婚葬祭の装飾用ラッピングがその周面に施され、且つ、１本立ち容器は、１個ずつ参列者が持ち帰るために、外周面が持ち帰り用具に保持される形状に形成されていることを特徴とする、請求項１ないし請求項１３のいずれかに記載の胡蝶蘭の集合体。
【考案の詳細な説明】
【技術分野】
【０００１】
本考案は、胡蝶蘭の集合体に関し、特に、例えば、３本ないし５本の胡蝶蘭（ファレノプシス属の洋蘭）を集合させ、且つ、単一の胡蝶蘭としても利用できる胡蝶蘭の集合体に関する。
【背景技術】
【０００２】
従来、葬儀の祭壇や葬儀場には白菊等の切花が使用されることが多い。
切花は切断時にＣＯ２を放出するとともに、一度しか使用できないために資源が無駄に消費されるという、環境保護の見地からは好ましくない問題があった。
そこで、資源の浪費を回避できるとともにＣＯ2の吸収も良好に行われて環境保全に資する葬儀方法を提案されている。
【先行技術文献】
【特許文献】
【０００３】
【特許文献１】特開２０１０−２４０３０１号公報
【考案の概要】
【考案が解決しようとする課題】
【０００４】
しかしながら、現在、家族葬、友人葬儀といった小規模葬儀が増加している。
そこでは、白菊等の切花が使用される葬儀の祭壇設営を行う必要がなく、安価な葬儀が必要となる。
【０００５】
この考案は、上述のような課題を解決するためになされたもので、資源の浪費を回避できるとともに今までの弔い花では無く胡蝶蘭だけの供花とし、しかも葬儀後には使用した、１本立ちの胡蝶蘭を家族や親戚、参列者に持ち帰り頂くことを可能とすることにより、全体として安価で且つ環境保全にも資する胡蝶蘭の集合体を提供することを目的とする。
【課題を解決するための手段】
【０００６】
この考案の請求項１に係る胡蝶蘭は、１本の胡蝶蘭を保持している１本立ち容器と、
前記１本立ち容器を、少なくとも３個以上集合して収容できる集合容器とを有し、
１本立ち容器は、集合容器の後方領域において少なくとも２個以上横方向に並列されるとともに、集合容器の前方領域において、前記後方領域の１本立ち容器の間に位置するように、少なくとも１個以上配設され、
後方領域に配設された１本立ち容器の胡蝶蘭は、前方領域に配設された１本立ち容器の胡蝶蘭より上方に花が位置して前方より鑑賞できるように構成され、
１本立ち容器は、集合容器の内において配設された各１本立ち容器の間に、各１本立ち容器が移動することなく保持されるように緩衝材及び／又は保持材で固定されるとともに、集合容器から取り出して１本立ち容器に入った胡蝶蘭を移動し及び／又は配設することができることを特徴とする、胡蝶蘭の集合体である。
この考案の請求項２に係る胡蝶蘭は、１本の胡蝶蘭を保持している１本立ち容器と、
前記１本立ち容器を、少なくとも５個以上集合して収容できる集合容器とを有し、
１本立ち容器は、集合容器の後方領域において少なくとも３個以上横方向に並列されるとともに、集合容器の前方領域において、前記後方領域の１本立ち容器の間に位置するように、少なくとも２個以上横方向に並列され、
後方領域に配設された１本立ち容器の胡蝶蘭は、前方領域に配設された１本立ち容器の胡蝶蘭より上方に花が位置して前方より鑑賞できるように構成され、
１本立ち容器は、集合容器の内において配設された各１本立ち容器の間に、各１本立ち容器が移動することなく保持されるように緩衝材及び／又は保持材で固定されるとともに、集合容器から取り出して１本立ち容器に入った胡蝶蘭を移動し及び／又は配設することができることを特徴とする、胡蝶蘭の集合体である。
この考案の請求項３に係る胡蝶蘭は、１本の胡蝶蘭を保持している１本立ち容器と、
前記１本立ち容器を、少なくとも３個以上集合して収容できる集合容器とを有し、
１本立ち容器は、集合容器の後方領域において、横方向に偶数個並列されるとともに、集合容器の前方領域において、前記後方領域の１本立ち容器の間に位置するように、少なくとも後方領域の１本立ち容器の数より１個少ない奇数個配設され、
又は、
１本立ち容器は、集合容器の後方領域において、横方向に奇数個並列されるとともに、集合容器の前方領域において、前記後方領域の１本立ち容器の間に位置するように、少なくとも後方領域の１本立ち容器の数より１個少ない偶数個配設され、
後方領域に配設された１本立ち容器の胡蝶蘭は、前方領域に配設された１本立ち容器の胡蝶蘭より上方に花が位置して前方より鑑賞できるように構成され、
１本立ち容器は、集合容器の内において配設された各１本立ち容器の間に、各１本立ち容器が移動することなく保持されるように緩衝材及び／又は保持材で固定されるとともに、集合容器から取り出して１本立ち容器に入った胡蝶蘭を移動し及び／又は配設することができることを特徴とする、胡蝶蘭の集合体である。
【考案の効果】
【０００７】
本考案によれば、３本立ちないしは５本立ちの胡蝶蘭等の集合体としての利用もでき、且つ１本立ち胡蝶蘭としても利用可能な胡蝶蘭の集合体を提供すること、例えば、３本立ちないしは５本立ち胡蝶蘭を供花として利用した後、葬儀後には使用した１本立ちの胡蝶蘭を家族や親戚、参列者に持ち帰り頂くことを可能とすることにより、全体として安価で且つ環境保全にも資する胡蝶蘭の集合体を提供できる。
【図面の簡単な説明】
【０００８】
【図１】第１の実施形態に係る胡蝶蘭の集合体の斜視図である。
【図２】第１の実施形態に係る胡蝶蘭の集合体の構成を説明するための平面図である。
【図３】第１の実施形態に係る胡蝶蘭の集合体の配置を説明するための正面図である。
【図４Ａ】第１の実施形態に係る胡蝶蘭の集合体を説明するための図３ ＩＶＡ−ＩＶＡ断面図解図である。
【図４Ｂ】第１の実施形態に係る胡蝶蘭の集合体を説明するための図３ ＩＶＢ−ＩＶＢ断面図解図である。
【図５】第１の実施の形態に係る胡蝶蘭の集合体の利用方法の一例を説明するための斜視図解図である。
【図６】第１の実施の形態に係る胡蝶蘭の集合体の利用方法の一例を説明するための斜視図解図である。
【図７】１本立ちの胡蝶蘭、１本立ち容器及び集合容器を説明するための斜視図解図である。
【図８】第１の実施形態に係る胡蝶蘭を搬送するための格納箱の概略構成を示す斜視図解図である。
【図９】第２の実施形態に係る胡蝶蘭の集合体の配置を説明するための正面図である。
【図１０】１本立ちの胡蝶蘭、１本立ち容器及び集合容器を説明するための斜視図解図である。
【図１１】本考案に係る胡蝶蘭の集合体の説明図である。
【考案を実施するための形態】
【０００９】
（本考案の第１の実施形態）
【００１０】
この考案に係る胡蝶蘭１０の集合体は、
１本の胡蝶蘭１０を保持している１本立ち容器４０と、
前記１本立ち容器４０を、少なくとも３個以上集合して収容できる集合容器１００とを有し、
１本立ち容器４０は、集合容器１００の後方領域において、横方向に偶数個並列されるとともに、集合容器１００の前方領域において、前記後方領域の１本立ち容器４０の間に位置するように、少なくとも後方領域の１本立ち容器４０の数より１個少ない奇数個配設され、
又は、
１本立ち容器４０は、集合容器１００の後方領域において、横方向に奇数個並列されるとともに、集合容器１００の前方領域において、前記後方領域の１本立ち容器４０の間に位置するように、少なくとも後方領域の１本立ち容器４０の数より１個少ない偶数個配設され、
後方領域に配設された１本立ち容器４０の胡蝶蘭１０は、前方領域に配設された１本立ち容器４０の胡蝶蘭１０より上方に花が位置して前方より鑑賞できるように構成され、
１本立ち容器４０は、集合容器１００の内において配設された各１本立ち容器４０の間に、各１本立ち容器４０が移動することなく保持されるように緩衝材１１０及び／又は保持材１１２で固定されるとともに、集合容器１００から取り出して１本立ち容器４０に入った胡蝶蘭１０を移動し及び／又は配設することができることを特徴とする。
【００１１】
胡蝶蘭１０は、図１に示すように、左右に１枚ずつ交互に出てくる幅広い葉を有しており、その葉の付け根に短い茎があり、その茎から根が出る。胡蝶蘭１０の花芽は、株の上から数えて２枚目の葉の下から出て、これが伸びて先の方に蕾１４（花）をつける。胡蝶蘭１０の多くの品種は、花茎１６が１本のみで分枝せず、緩やかに弧を描くが、本実施の形態に係る多くの１本立ちの胡蝶蘭１０としては、この品種のものが好ましい。
【００１２】
胡蝶蘭１０は、ポリエチレン鉢（ビニールポット４２）、プラスチック鉢、素焼き鉢又は瀬戸鉢などの１本立ち容器４０の内部に、水苔２２又はバーク（樹皮）２４などからなる用土２０を充填して植栽される。
用土２０として、水苔２２単体では、水苔２２が水分を保持し易いため、水分過多により胡蝶蘭１０が根腐れし易くなる。
一方、用土２０としてバーク（樹皮）２４単体では、水捌けがよく、用土２０が乾き易くなる。
このため、本実施形態に係る胡蝶蘭１０には、水苔２２と水苔２２の周りに周設されるバーク（樹皮）２４とからなる用土２０を使用している。
特に、本実施形態に係る胡蝶蘭１０は、水分を保持し易い水苔２２やバーミキューライト等をバーク（樹皮）２４の表面に敷設することにより、バーク（樹皮）２４の表面の渇きが抑制され、１本立ち容器４０内の水分環境を保持して安定させる効果が高く、且つ、根腐れも生じ難い状況を作り出すことができる。なお、水苔２２やバーミキューライト等は、水分保持容量の小さい１本立ち容器４０のサイズや水分要求度の高い胡蝶蘭１０の個体等に応じて、量を適宜加減し、バーク（樹皮）２４の表面に敷設する。
【００１３】
胡蝶蘭１０は、倒れたり型崩れしないように、支持体３０によって保持されている。
支持体３０は、図７に示すように、一端が胡蝶蘭１０の株元近傍の用土２０に埋設され、当該胡蝶蘭１０の花茎１６に併設されて、当該胡蝶蘭１０の花茎１６を支持する棒状体である。
【００１４】
支持体３０は、細長い鋼材又は鉄線などの金属材を芯材として合成樹脂で被覆された棒状体であり、用土２０に埋設される一端側の領域（以下、「埋設領域」と称す）から離間した、胡蝶蘭１０の花茎１６の中間辺りに、一又は複数の屈曲点を有する屈曲部３２（例えば、略々Ｕ字状、略々Ｓ字状）が形成されている。
このように、支持体３０が屈曲部３２を有することにより、屈曲部３２が花茎１６に係合し、１本立ち容器４０に対する支持体３０の回転や用土２０からの支持体３０の抜けを防止して、支持体３０の安定性を保ち、胡蝶蘭１０の花茎１６を強固に支持することができる。
【００１５】
用土２０は、通気性、保水性、保肥性が高く、かつ軽量なものである必要があり、また、輸送中に、鉢の底から土がこぼれ出てしまわないように、繊維質のものが望ましい。このため、所謂、ピートモスが使用されることが多い。このピートモスは、水苔などの植物を腐食させ堆積させたものを乾燥し粉砕したものある。
【００１６】
１本立ち容器４０は、内側のビニールポット４２と外側のプラスチック容器４６の２重構造になっている。
ビニールポット４２は、生産地での植物生育に用いられていたものがそのまま使用され、その底面には、給水孔４４が略々中央に一カ所設けられている。
【００１７】
プラスチック容器４６は、上部開口部側が拡径された段状の小鉢形状に形成されており、軽量で、且つ、強度があり、扱い易いという要件を満たすプラスチック材料で形成されている。
プラスチック容器４６は、そのままテーブル等の上に配設して胡蝶蘭１０の生育が行われることを考慮して、底部に複数の水抜き孔４８が形成されるとともに、外観の良い色彩、模様が形成されてもよい。
【００１８】
ビニールポット４２の底部に設けられた給水孔４４と、プラスチック容器４６の底部に設けられた水抜き孔４８とは重ならないように設けられており、ビニールポット４２の内部から用土２０が格納箱２００内に溢れ出ることを有効に防止できるように形成されている。
【００１９】
集合容器１００は、１本立ち容器４０が、集合容器１００の後方領域において、少なくとも３個以上横方向に並列されるとともに、集合容器１００の前方領域において、前記後方領域の１本立ち容器４０の間に位置するように、少なくとも２個以上横方向に並列されるように構成されている。
【００２０】
後方領域に配設された１本立ち容器４０の胡蝶蘭１０は、前方領域に配設された１本立ち容器４０の胡蝶蘭１０より上方に花芽１２が位置して、前方すなわち手前側より鑑賞できるように構成されている。
【００２１】
５本立ちの胡蝶蘭１０とするために、５個の１本立ち容器４０に植栽された胡蝶蘭１０を集合容器１００に配設されるが、この実施の形態においては、５個の１本立ち容器４０に植栽された胡蝶蘭１０の背丈が略々同一のものである。
この実施の形態の胡蝶蘭１０は、胡蝶蘭１０の屈曲部３２までの高さがプラスチック容器４６の高さの約３倍ないし６倍の高さを有している。
そこで、後方領域に配設された１本立ち容器４０の胡蝶蘭１０は、前方領域に配設された１本立ち容器４０の胡蝶蘭１０より上方に花芽１２が位置して前方より鑑賞できるようにするために、後方領域に配設された１本立ち容器４０を高い位置に配設できるように、集合容器１００は、次のように段差部１０８が形成されている。
【００２２】
集合容器１００は、収容部１０２の後方領域に段差部１０８が形成されている。
集合容器１００に配設された段差部１０８に載置された後方領域の１本立ち容器４０の胡蝶蘭１０は、前方領域に配設された１本立ち容器４０の胡蝶蘭１０より上方に花芽１２が位置して、前方すなわち手前側より前方領域の胡蝶蘭１０と後方領域の胡蝶蘭１０とを一目で見渡すことができるように構成されている。
【００２３】
この実施の形態においては、段差部１０８は、六つの平面で囲まれたプラスチック製立体、すなわち六面体を用いている。
段差部１０８は、集合容器１００の収容部１０２の底部の後方領域のみに配置される大きさである。
なお、段差部１０８は、ブロック状の載置棚を集合容器１００の収容部１０２にプラスチックで一体成形し、集合容器１００の収容部１０２の底部の後方領域にブロック状の載置棚を形成し、前方領域の１本立ち容器４０より高い位置で１本立ち容器４０を載置できるように構成してもよい。
【００２４】
１本立ち容器４０は、集合容器１００の内において５個配設された各１本立ち容器４０の間に、各１本立ち容器４０が移動することなく保持されるように緩衝材１１０及び／又は保持材１１２で固定されるとともに、集合容器１００から取り出して１本立ち容器４０に入った胡蝶蘭１０を移動し及び／又は配設することができるように構成されている。
【００２５】
保持材１１２は、１本立ちの胡蝶蘭１０を植栽した１本立ち容器４０を５個、集合容器１００の収容部１０２内に配置するときに前方領域の１本立ち容器４０と後方領域の１本立ち容器４０との間に介在させる第１保持材１１２ａと、後方領域の１本立ち容器４０の間に介在させる第２保持材１１２ｂと、前方領域の２個の１本立ち容器４０の間に介在させる第３保持材１１２ｃとを備える。
保持材１１２は、第１保持材１１２ａと第２保持材１１２ｂとは交差し、且つ第２保持材１１２ｂと第３保持材１１２ｃとは平行になる、略々十字状のブロック材であり、一体的に形成されている。
【００２６】
この実施の形態においては、緩衝材１１０は、柔軟性ないしは弾力性を有する発泡スチロールの帯状材で構成されている。
緩衝材１１０は、集合容器１００の収容部１０２に配設された１本立ち容器４０の間に生じる空隙を埋めるように敷き詰めることができるように構成されている。
【００２７】
保持材１１２は、前方領域の２個の１本立ち容器４０を挟持する左右対称の第４保持材１１２ｄを用い、左端の１本立ち容器４０の左側と右端の１本立ち容器４０の右側とを挟持するように宛がって、１本立ち容器４０を保持してもよい。
前記第１保持材１１２ａの長さは、集合容器１００の収容部１０２の右側と左側との間の幅の長さと略々同一であり、
前記第２保持材１１２ｂ及び第３保持材１１２ｃの長さと前記第１保持材１１２ａの厚さとを合わせた長さは、集合容器１００の収容部１０２の手前側と向こう側との間の長さとを略々同一である。
【００２８】
１本立ち容器４０は、円筒状合成樹脂製容器であって、高さが、集合容器１００の収容部１０２を形成する周壁部１０４の高さと略々同一か僅かに低く、幅が、少なくとも３個の１本立ち容器４０を収容したときに、集合容器１００の収容部１０２の幅と略々同一か僅かに短く形成されている。
【００２９】
集合容器１００は、冠婚葬祭が行われる場内に配置するために、冠婚葬祭の装飾用ラッピング２５０がその周面に施され、且つ、１本立ち容器４０は、１個ずつ参列者が持ち帰るために、外周面が持ち帰り用具２６０に保持される形状に形成されている。
【００３０】
この実施の形態においては、５本立ちの胡蝶蘭１０を備えた集合容器１００は、葬式の供花して、葬式にふさわしいラッピング２５０が施されて祭壇に配置される。
１本立ち胡蝶蘭１０を入れた１本立ち容器４０は、葬式の場内の壁面に引っ掛かる引っ掛け具（図示せず）に入れて、一本立ちの胡蝶蘭１０によって壁面を飾ってよい。
【００３１】
次に、５本立ちの胡蝶蘭１０を集合容器１００に収容された状態において搬送するときについて説明する。
胡蝶蘭１０は、搬送のために格納箱２００に格納する際には、図８に示すように、外観上にギフト的要素を持たせると同時に、胡蝶蘭１０が外側の格納箱２００の内面等と直接触れることを防ぎ、且つ、輸送中に、１本立ち容器４０の上部から用土２０がこぼれ落ちることを防止するために、透明の外装フィルム２６０で包まれて格納される。
【００３２】
この外装フィルム２６０の１本立ち容器４０上部の胡蝶蘭１０の花茎１６の部分は、格納箱２００が輸送中に倒れたり等することがあり得ることを想定して、集合容器１００の上部から用土２０がこぼれないよう輪ゴムで止められている。
【００３３】
格納箱２００の容器固定部２１０の略々中央には、胡蝶蘭１０の集合容器１００の外径よりも小さな固定孔２１２が設けられている。
必要に応じて、この固定孔２１２から放射状に複数（例えば、６カ所）の切れ込みが形成されてもよい。そして、固定孔２１２に胡蝶蘭１０の集合容器１００を挿通することで、段ボール部材の弾性により格納箱２００内側の底部に集合容器１００の集合容器１００を弾性保持するようになっている。
また、集合容器１００の周壁部１０４の表面に形成されている環状突起部１０６が、拡径された固定孔２１２の縁部と引掛かることにより、胡蝶蘭１０の集合容器１００が上下に位置ずれすることが有効に防止されるようになっている。
【００３４】
格納箱２００は、容器固定部２１０の後方に、胡蝶蘭の花茎１６を固定するための花茎固定部２２０が配設されている。
【００３５】
花茎固定部２２０は、容器固定部２１０の後方端から上方に向けて立設させており、その上端には花茎嵌挿用切欠部２２２が穿設されている。
この花茎固定部２２０の花茎嵌挿用切欠部２２２は、容器固定部２１０に収容された１本立ち胡蝶蘭１０が、輸送中に格納箱２００が傾いたりしても、胡蝶蘭１０が痛むことがないように胡蝶蘭１０の葉茎１６を花茎嵌挿用切欠部２２２の手前から後方に向けて差し込み固定されるように構成されている。
胡蝶蘭の集合体は、１本の胡蝶蘭１０を保持している１本立ち容器４０を、少なくとも５個以上集合して収容できる集合容器１００収容しているので、容器固定部２１０の花茎嵌挿用切欠部２２２は、５個以上の胡蝶蘭１０の花茎１６を差し込みできるように、５条形成されている。
【００３６】
次に、第２の実施の形態に係る胡蝶蘭１０の集合体について、主として図９及び１０に基づいて説明する。
【００３７】
第２の実施の形態に係る胡蝶蘭１０の集合体は、
１本立ち容器４０が、集合容器１００の後方領域において、横方向に、偶数個並列されるとともに、集合容器１００の前方領域において、前記後方領域の１本立ち容器４０の間に位置するように、少なくとも後方領域の１本立ち容器４０の数より１個少ない奇数個配設されている。
【００３８】
この実施の形態においては、集合容器１００は、１本立ち容器４０が、集合容器１００の後方領域において、少なくとも２個横方向に並列されるとともに、集合容器１００の前方領域において、前記後方領域の１本立ち容器４０の間に位置するように、少なくとも１個配設されるように構成されている。
【００３９】
後方領域に配設された１本立ち容器４０の胡蝶蘭１０は、前方領域に配設された１本立ち容器４０の胡蝶蘭１０より上方に花芽１２が位置して、前方すなわち手前側より鑑賞できるように構成されている。
【００４０】
３本立ちの胡蝶蘭１０とするために、３個の１本立ち容器４０に植栽された胡蝶蘭１０を集合容器１００に配設されるが、この実施の形態においては、３個の１本立ち容器４０に植栽された胡蝶蘭１０の背丈が略々同一のものである。
そこで、後方領域に配設された１本立ち容器４０の胡蝶蘭１０は、前方領域に配設された１本立ち容器４０の胡蝶蘭１０より上方に花芽１２が位置して前方より鑑賞できるようにするために、後方領域に配設された１本立ち容器４０を高い位置に配設できるように、集合容器１００は、次のように段差部１０８が形成されている。
【００４１】
集合容器１００は、収容部１０２の後方領域に段差部１０８が形成されている。
集合容器１００に配設された段差部１０８に載置された後方領域の１本立ち容器４０の胡蝶蘭１０は、前方領域に配設された１本立ち容器４０の胡蝶蘭１０より上方に花芽１２が位置して、前方すなわち手前側より前方領域の胡蝶蘭１０と後方領域の胡蝶蘭１０とを一目で見渡すことができるように構成されている。
【００４２】
１本立ち容器４０は、集合容器１００の内において３個配設された各１本立ち容器４０の間に、各１本立ち容器４０が移動することなく保持されるように緩衝材１１０及び／又は保持材１１２で固定されるとともに、集合容器１００から取り出して１本立ち容器４０に入った胡蝶蘭１０を移動し及び／又は配設することができるように構成されている。
【００４３】
保持材１１２は、１本立ちの胡蝶蘭１０を植栽した１本立ち容器４０を５個、集合容器１００の収容部１０２内に配置するときに前方領域の１本立ち容器４０と後方領域の１本立ち容器４０との間に介在させる第１保持材１１２ａと、後方領域の１本立ち容器４０の間に介在させる第２保持材１１２ｂと、前方領域の１個の１本立ち容器４０を挟持する左右対称の第４保持材１１２ｄとを備える。
保持材１１２は、第１保持材１１２ａと第２保持材１１２ｂとは交差し、且つ第２保持材１１２ｂと第４保持材１１２ｄとは平行になる、十字状のブロック材であり、一体的に形成されている。
【００４４】
保持材１１２は、前方領域の２個の１本立ち容器４０を挟持する左右対称の第４保持材１１２ｄを備えており、左端の１本立ち容器４０の左側と右端の１本立ち容器４０の右側とを挟持するように宛がって、１本立ち容器４０を保持している。
【００４５】
前記第１保持材１１２ａの長さは、集合容器１００の収容部１０２の右側と左側との間の幅の長さと略々同一であり、
前記第２保持材１１２ｂ及び第４保持材１１２ｄの長さと前記第１保持材１１２ａの厚さとを合わせた長さは、集合容器１００の収容部１０２の手前側と向こう側との間の長さとを略々同一である。
【００４６】
以上のように、本考案の実施の形態は、前記記載で開示されているが、本考案は、これに限定されるものではない。
すなわち、本考案の技術的思想及び目的の範囲から逸脱することなく、以上説明した実施の形態に対し、機序、形状、材質、数量、位置又は配置等に関して、様々の変更を加えることができるものであり、それらは、本考案に含まれるものである。
【符号の説明】
【００４７】
１０  胡蝶蘭
１２  花芽
１４  蕾
１６  花茎
２０  用土
２２  水苔
２４  バーク（樹皮）
３０  支持体
３２  屈曲部
４０  １本立ち容器
４２  ビニールポット
４４  給水孔
４６  プラスチック容器
４８  水抜き孔
１００  集合容器
１０２  収容部
１０４  周壁部
１０６  環状突起部
１０８  段差部
１１０  緩衝材
１１２  保持材
１１２ａ  第１保持材
１１２ｂ  第２保持材
１１２ｃ  第３保持材
１１２ｄ  第４保持材
２００  格納箱
２１０  容器固定部
２１２  固定孔
２２０  花茎固定部
２２２  花茎嵌挿用切欠部
２５０  ラッピング
２６０  持ち帰り用具
【図１】
0003210039.tif 000003
【図２】
0003210039.tif 000004
【図３】
0003210039.tif 000005
【図４Ａ】
0003210039.tif 000006
【図４Ｂ】
0003210039.tif 000007
【図５】
0003210039.tif 000008
【図６】
0003210039.tif 000009
【図７】
0003210039.tif 000010
【図８】
0003210039.tif 000011
【図９】
0003210039.tif 000012
【図１０】
0003210039.tif 000013
【図１１】
0003210039.tif 000014